(57)【特許請求の範囲】
【請求項１】
前胴回り部材と、後胴回り部材と、該前胴回り部材及び該後胴回り部材を連結する股下部材とを具備する吸収性物品であって、
フラップの一部において、前記吸収性物品の幅方向の両側に折り返し可能な一対の折り返し部が形成されており、
前記一対の折り返し部の各々に、前記前胴回り部材又は前記後胴回り部材の所定領域に係合可能な係合部材が配置されており、
前記フラップは、前記前胴回り部材又は前記後胴回り部材上に配置されており、
前記フラップが前記前胴回り部材又は前記後胴回り部材に接合された接合領域と、前記フラップが前記前胴回り部材又は前記後胴回り部材に接合されていない非接合領域と、を備えており、
前記接合領域は、前記吸収性物品の幅方向における両端部に設けられており、
前記非接合領域は、前記両端部と前記折り返し部との間に設けられており、
前記一対の折り返し部は、前記吸収性物品の長手方向に沿って形成された第１切り込み部又は第１切り欠き部の少なくとも１つと、該吸収性物品の幅方向に沿って形成された第２切り込み部又は第２切り欠き部の少なくとも１つとによって形成されており、
前記フラップが、前記股下部材の端部を覆うように、前記後胴回り部材と接合されていることを特徴とする吸収性物品。
【請求項２】
前記接合領域は、前記一対の折り返し部の各々の間に更に設けられている、請求項１に記載の吸収性物品。
【請求項３】
前記第２切り込み部又は第２切り欠き部の前記非接合領域側の端部は、曲線状に加工されていることを特徴とする請求項２に記載の吸収性物品。
【請求項４】
前記吸収性物品の幅方向における前記前胴回り部材の長さと、前記吸収性物品の幅方向における前記後胴回り部材の長さとが等しいことを特徴とする請求項１に記載の吸収性物品。
【発明の詳細な説明】
【技術分野】
【０００１】
本発明は、前胴回り部材と、後胴回り部材と、前記前胴回り部材及及び前記後胴回り部材を連結する股下部材とを具備する吸収性物品に関する。
【背景技術】
【０００２】
一般に、オープンタイプのオムツにおいては、身体への装着を容易にするために、吸収体本体から外側に張り出したサイドフラップを設ける必要がある。
【０００３】
かかるオープンタイプのオムツとして、特許文献１に、吸収体本体とは別部材のシート片を吸収体本体の両側縁に接合し固定することによって、サイドフラップを形成しているものが開示されている。
【特許文献１】特開平４-２６１６５５号公報
【発明の開示】
【発明が解決しようとする課題】
【０００４】
しかしながら、上述したオープンタイプのオムツでは、熱融着や熱可塑性樹脂等の接着剤によって、直接、サイドフラップを吸収体本体に接合するという構成になっているため、サイドフラップを展開する際やオムツを装着する際において、サイドフラップと吸収体本体との間の接合領域に力がかかると、サイドフラップが吸収体本体から剥がれてしまうという問題点があった。
【０００５】
そこで、本発明は、上述の課題に鑑みてなされたものであり、サイドフラップが吸収体本体から剥がれ難い構成を有する吸収性物品を提供することを目的とする。
【課題を解決するための手段】
【０００６】
本発明の第１の特徴は、前胴回り部材と、後胴回り部材と、該前胴回り部材及及び該後胴回り部材を連結する股下部材とを具備する吸収性物品であって、フラップの一部において、前記吸収性物品の幅方向の両側に折り返し可能な一対の折り返し部が形成されており、前記一対の折り返し部の各々に、前記前胴回り部材又は前記後胴回り部材の所定領域に係合可能な係合部材が配置されており、前記フラップは、前記吸収性物品の幅方向における両端部において、前記前胴回り部材又は前記後胴回り部材に接合されており、前記両端部と前記折り返し部との間に、前記フラップが前記前胴回り部材又は前記後胴回り部材に接合されていない非接合領域が設けられていることを要旨とする。
【発明の効果】
【０００７】
以上説明したように、本発明によれば、サイドフラップが吸収体本体から剥がれ難い構成を有する吸収性物品を提供することができる。
【発明を実施するための最良の形態】
【０００８】
（本発明の第１の実施形態に係る吸収性物品）
図１乃至図６を参照して、本発明の第１の実施形態に係る吸収性物品について説明する。例えば、図１に示すように、本発明の第１の実施形態に係る吸収性物品は、オープンタイプのオムツに適用することができる。
【０００９】
図２に示すように、本発明の第１の実施形態に係る吸収性物品は、前胴回り部材２０ｂと、後胴回り部材２０ａと、前胴回り部材２０ｂ及び後胴回り部材２０ａを連結する股下部材（吸収体本体）１０とを具備する。
【００１０】
吸収体本体１０は、繊維不織布により形成された液透過性の表面シートと、プラスチックフィルムやプラスチックフィルムと不織布との積層材料等により形成された液不透過性の裏面シートと、表面シートと裏面シートとの間に介在し、表面シート及び裏面シートの少なくとも一方に接合された吸収体コア１とを有している。
【００１１】
吸収体コア１としては、所要の厚みに圧縮された粒子状や繊維状の高吸水性ポリマーとフラップパルプとの混合物や、所要の厚みに圧縮された粒子状や繊維状の高吸水性ポリマーとフラップパルプと熱可塑性合成樹脂繊維との混合物等を使用することができる。
【００１２】
また、吸収体コア１全体は、型崩れやポリマー粒子の脱落を防止するためにティッシュペーパーにより被覆されていることが好ましい。なお、ポリマー粒子としては、デンプン系やセルロース系や合成ポリマー系のものを使用することができる。
【００１３】
なお、吸収体本体１０の両側縁部には、防漏壁３が形成されている。また、前胴回り部材２０ｂ及び後胴回り部材２０ａは、伸張性及び伸縮性を有していてもよい。
【００１４】
ここで、吸収性物品の幅方向における前胴回り部材２０ｂの長さＬ１と、吸収性物品の幅方向における後胴回り部材２０ａの長さＬ２とが等しいものとする。
【００１５】
図２に示すように、後胴回り部材２０ａにフラップ３０が接合されている。図２に示すように、具体的には、後胴回り部材２０ａ及びフラップ３０は、吸収性物品の幅方向における端部Ａ１及びＡ２に沿って接合されている。
【００１６】
ここで、かかるフラップは、後胴回り部材２０ａ上に、エンボスローラや超音波による熱圧着等によって接着されていることが好ましい。なお、さらに、フラップ３０の端部Ａ１及びＡ２に沿って熱可塑性樹脂が塗布されていてもよい。
【００１７】
また、フラップ３０の一部において、吸収性物品の幅方向の両側に折り返し可能な一対の折り返し部５０ａ、５０ｂが形成されている。
【００１８】
折り返し部５０ａに、前胴回り部材２０ｂの所定領域に係合可能な係合部材４０ａが配置されており、折り返し部５０ｂに、前胴回り部材２０ｂの所定領域に係合可能な係合部材４０ｂが配置されている。
【００１９】
ここで、係合部材４０ａ、４０ｂとしてフック部材（雄部材）が配置される場合には、前胴回り部材２０ｂの所定領域に、被係合部材として被フック部材（雌部材）が設けられるものとする。
【００２０】
なお、本実施形態では、前胴回り部材２０ｂが不織布によって構成されているため、被フック部材を別途も受けなくても、前胴回り部材２０ｂの所定領域自身が被フック部材の役割を果たす。
【００２１】
図３に示すように、一対の折り返し部５０ａ、５０ｂが折り返されていない状態において、係合部材４０ａ、４０ｂは、吸収体本体１０に係止されて仮止めされるように構成されている。なお、一対の折り返し部５０ａ、５０ｂが折り返されていない状態において、係合部材４０ａ、４０ｂによる係止の代わりに、エンボス等によって仮止めが行われるように構成されていても良い。
【００２２】
また、一対の折り返し部５０ａ、５０ｂは、吸収性物品の長手方向に沿って形成された第１切り込み部（第１スリット）又は第１切り欠き部（第１トリミング）の少なくとも１つと、吸収性物品の幅方向に沿って形成された第２切り込み部（第２スリット）又は第２切り欠き部（第２トリミング）の少なくとも１つとによって形成されている。
【００２３】
例えば、図２の例では、折り返し部５０ａは、吸収性物品の長手方向に沿って形成された第１切り込み部５０ａ３と、吸収性物品の幅方向に沿って形成された２つの第２切り込み部５０ａ１、５０ａ２とによって形成されている。
【００２４】
また、折り返し部５０ｂは、吸収性物品の長手方向に沿って形成された第１切り込み部５０ｂ３と、吸収性物品の幅方向に沿って形成された２つの第２切り込み部５０ｂ１、５０ｂ２とによって形成されている。
【００２５】
なお、第１切り込み部５０ａ３、５０ｂ３、及び、第２切り込み部５０ａ１、５０ａ２、５０ｂ１、５０ｂ２は、ミシン目のような切断可能線によって構成されていてもよい。
【００２６】
また、第１切り込み部５０ａ３、５０ｂ３、及び、第２切り込み部５０ａ１、５０ａ２、５０ｂ１、５０ｂ２は、直線形状であってもよいし、曲線形状であってもよい。
【００２７】
フラップ３０は、吸収性物品の幅方向における両端部Ａ１、Ａ２において、後胴回り部材２０ａに接合されている。
【００２８】
また、フラップ３０は、吸収性物品の長手方向における両端部Ｂ１、Ｂ２において、後胴回り部材２０ａに接合されていてもよい。
【００２９】
さらに、フラップ３０は、一対の折り返し部５０ａ、５０ｂの各々の間の領域Ｃにおいて、後胴回り部材２０ａに接合されていてもよい。
【００３０】
なお、吸収性物品の幅方向における端部Ａ１と折り返し部５０ｂとの間、及び、吸収性物品の幅方向における端部Ａ２と折り返し部５０ａとの間に、フラップが後胴回り部材２０ａに接合されていない非接合領域Ｄ１，Ｄ２が設けられている。
【００３１】
ここで、図４に示すように、かかる一対の折り返し部５０ａ、５０ｂが、蝶番式に、吸収性物品の幅方向の両側に折り返される場合であっても、フラップ３０が、吸収性物品の長手方向の全域に渡って切断されて折り返されることにはならない。
【００３２】
また、かかる一対の折り返し部５０ａ、５０ｂが、蝶番式に、吸収性物品の幅方向の両側に折り返される場合、フラップ３０と後胴回り部材２０ａとの間の接合領域Ａ１、Ａ２にかかる力が、吸収体の幅方向の長さがＰである被接合領域Ｄ１、Ｄ２によって緩衝される。
【００３３】
特に、被接合領域Ｄ１、Ｄ２は、かかる一対の折り返し部５０ａ、５０ｂが、蝶番式に、吸収性物品の幅方向の両側に折り返される際の瞬間的な衝撃に対して、クッション効果を奏することができる。
【００３４】
さらに、かかる一対の折り返し部５０ａ、５０ｂが、蝶番式に、吸収性物品の幅方向の両側に折り返される場合、第２切り込み部（又は、第２切り欠き部）５０ａ１、５０ａ２、５０ｂ１、５０ｂ２の非接合領域Ｄ１、Ｄ２側の端部１００ａ、１００ｂと接合領域Ｂ１、Ｂ２の端部との間の領域Ｑと後胴回り部材２０ａとの間に資材の緩み（隙間）が生じることによって、フラップ３０と後胴回り部材２０ａとの間の接合領域Ａ１、Ａ２にかかる力が緩衝される。
【００３５】
また、第２切り込み部（又は、第２切り欠き部）５０ａ１、５０ａ２、５０ｂ１、５０ｂ２の非接合領域Ｄ１、Ｄ２側の端部１００ａ、１００ｂは、曲線状に加工されていてもよい。
【００３６】
例えば、図５に示すように、第２切り込み部（又は、第２切り欠き部）５０ａ１、５０ａ２、５０ｂ１、５０ｂ２の非接合領域Ｄ１、Ｄ２側の端部１００ａ、１００ｂは、円状に加工されていてもよい。
【００３７】
かかる場合、図６に示すように、フラップ３０と後胴回り部材２０ａとの間の接合領域Ａ１、Ａ２にかかる力が、円の中心から外方に分散される。
【００３８】
なお、上述の例では、前胴回り部材２０ｂの所定領域に係合可能な係合部材４０ａ、４０ｂが配置されているフラップ３０を、後胴回り部材２０ａ上に配置するように構成されている例について説明しているが、本発明は、かかる例に限定されることはなく、後胴回り部材２０ａの所定領域に係合可能な係合部材４０ａ、４０ｂが配置されているフラップ３０を、前胴回り部材２０ｂ上に配置するように構成されている例についても適用可能である。
【００３９】
（本発明の第１の実施形態に係る吸収性物品の作用・効果）
本発明の第１の実施形態に係る吸収性物品によれば、フラップ３０が吸収性物品の長手方向の全域に渡って切断されないように、一対の折り返し部５０ａ、５０ｂを形成しているため、製造されたオムツの使用者が容易に展開可能で、かつ、製造ライン上で切断されてしまい、当該製造ライン上でフラップ３０の連続体を連続搬送することができなくなる、或いは、当該製造ライン上でフラップ３０の連続体を連続搬送するために高度な制御が必要になり製造設備が複雑化してしまうという事態を回避することができる。
【００４０】
また、本発明の第１の実施形態に係る吸収性物品によれば、吸収体の幅方向の長さがＰである被接合領域Ｄ１、Ｄ２や、第２切り込み部５０ａ１、５０ａ２、５０ｂ１、５０ｂ２の非接合領域Ｄ１、Ｄ２側の端部１００ａ、１００ｂと接合領域Ｂ１、Ｂ２の端部との間の領域Ｑによって、一対の折り返し部５０ａ、５０ｂが、吸収性物品の幅方向の両側に折り返される場合、フラップ３０と後胴回り部材２０ａとの間の接合領域Ａ１、Ａ２にかかる力を緩めることができ、サイドフラップとしての機能を果たす折り返し部５０ａ、５０ｂが破れて後胴回り部材２０ａから剥がれてしまうという事態が発生する確率を低減することができる。
【００４１】
（変更例１）
図７を参照して、本発明の変更例１に係る吸収性物品について説明する。以下、本発明の第１の実施形態に係る吸収性物品との相違点に着目して本発明の変更例１に係る吸収性物品について説明する。
【００４２】
本発明の変更例１に係る吸収性物品では、例えば、図７に示すように、第２切り込み部５０ａ１、５０ａ２、５０ｂ１、５０ｂ２の非接合領域Ｄ１、Ｄ２側の端部２００ａ、２００ｂは、折り返し部５０ａ、５０ｂの外側に滑らかにカーブするような形状に加工されていてもよい。
【００４３】
かかる場合も、フラップ３０と後胴回り部材２０ａとの間の接合領域Ａ１、Ａ２にかかる力が、端部２００ａ、２００ｂの形状の中心から外方に分散される。
【００４４】
（変更例２）
図８を参照して、本発明の変更例２に係る吸収性物品について説明する。以下、本発明の第１の実施形態に係る吸収性物品との相違点に着目して本発明の変更例２に係る吸収性物品について説明する。
【００４５】
本発明の変更例２に係る吸収性物品では、例えば、図８に示すように、第２切り込み部５０ａ１、５０ａ２、５０ｂ１、５０ｂ２の非接合領域Ｄ１、Ｄ２側の端部３００ａ、３００ｂは、折り返し部５０ａ、５０ｂの内側に滑らかにカーブするような形状に加工されていてもよい。
【００４６】
かかる場合も、フラップ３０と後胴回り部材２０ａとの間の接合領域Ａ１、Ａ２にかかる力が、かかる端部３００ａ、３００ｂの形状の中心から外方に分散される。
【００４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００４８】
【図１】本発明の第１の実施形態に係る吸収性物品の全体構造を示す斜視図である。
【図２】本発明の第１の実施形態に係る吸収性物品の平面図である。
【図３】本発明の第１の実施形態に係る吸収性物品のＸ-Ｘ’断面図である。
【図４】本発明の第１の実施形態に係る吸収性物品を展開した平面図である。
【図５】本発明の第１の実施形態に係る吸収性物品におけるフラップ上に形成される折り返し部について説明するための図である。
【図６】本発明の第１の実施形態に係る吸収性物品におけるフラップ上に形成される折り返し部を構成する切りこみ部の端部の拡大図である。
【図７】本発明の変更例１に係る吸収性物品におけるフラップ上に形成される折り返し部について説明するための図である。
【図８】本発明の変更例２に係る吸収性物品におけるフラップ上に形成される折り返し部について説明するための図である。
【符号の説明】
【００４９】
１…吸収体コア
３…防漏壁
１０…股下部材（吸収体本体）
２０ａ…後胴回り部材
２０ｂ…前胴回り部材
３０…フラップ
４０ａ、４０ｂ…係合部材
５０ａ、５０ｂ…折り返し部
Ａ１、Ａ２、Ｂ１、Ｂ２、Ｃ…接合領域
Ｄ…非接合領域
【図１】
0005403934.tif 000002
【図２】
0005403934.tif 000003
【図３】
0005403934.tif 000004
【図４】
0005403934.tif 000005
【図５】
0005403934.tif 000006
【図６】
0005403934.tif 000007
【図７】
0005403934.tif 000008
【図８】
0005403934.tif 000009